(57)【要約】【課題】外部装置用のリモコンにより外部装置からの信号入カの切り替えを行うことのできる受信装置およびその受信方法を提供することを目的とする。【解決手段】複数の外部機器からの出力信号が複数の入力手段２、３、４から各々入力される受信装置であって、遠隔制御信号２０から識別情報を抽出する識別情報抽出部１０と、複数の入力手段からの出力信号を検知する信号検知部１９と、所定の情報を記憶する記憶部９と、信号検知部１９で出力信号を検知された入力手段を示す情報と識別情報抽出部で抽出された識別情報とを対応付けて記憶部に書き込む書込部１４とを備える受信装置。【選択図】　図２
2004048706.tif 000002
【特許請求の範囲】
【請求項１】
外部機器からの出力信号を入力する複数の入力手段を備える受信装置であって、前記遠隔制御信号から識別情報を抽出する識別情報抽出部と、前記複数の入力手段からの出力信号を検知する信号検知部と、所定の情報を記憶する記憶部と、前記信号検知部が出力信号を検知した入力手段を示す情報と前記識別情報抽出部で抽出した識別情報とを対応付けて前記記憶部に書き込む書込部とを備えた受信装置。
【請求項２】
外部機器からの出力信号を入力する複数の入力手段を備える受信装置であって、前記複数の入力手段からの出力信号を検知する信号検知部と、前記複数の入力手段からの出力信号を選択して出力する入力切替部と、前記入力切替部から出力された出力信号を出力する出力部とを備え、前記入力切替部は、前記信号検知部が出力信号を検知した入力手段からの出力信号を選択して前記出力部に出力することを特徴とする受信装置。
【請求項３】
複数の外部機器からの出力信号が複数の入力手段から各々入力される受信装置であって、前記外部機器を制御するための遠隔制御信号を受信する受信部と、前記遠隔制御信号から識別情報を抽出する識別情報抽出部と、前記複数の入力手段からの出力信号を検知する信号検知部と、所定の情報を記憶する記憶部と、前記記憶部に情報を書き込む書込部と、前記複数の入力手段からの出力信号を選択して出力する入力切替部と、前記入力切替部から出力された出力信号を出力する出力部とを備え、前記受信部が前記遠隔制御信号を受信すると前記入力切替部は前記信号検知部が出力信号を検知した入力手段からの出力信号を選択して前記出力部に出力し、前記書込部は前記信号検知部で出力信号を検知された入力手段を示す情報と前記識別情報抽出部で抽出された識別情報とを対応付けて前記記憶部に書き込むことを特徴とする受信装置。
【請求項４】
入力切替部が出力信号の選択を行う場合に、選択された入力手段の確認画面を作成し、前記確認画面を前記出力部に表示させるＧＵＩ作成部を備えたことを特徴とする請求項２乃至請求項４のいずれかに記載の受信装置。
【請求項５】
複数の入力手段に接続された外部機器の設定が入力される設定入力部を備えたことを特徴とする請求項１乃至請求項５のいずれかに記載の受信装置。
【請求項６】
記憶部は、複数の入力手段に接続可能な外部機器の識別情報を含む情報を格納した識別情報テーブルを有し、ＧＵＩ作成部は、前記識別情報テーブルに格納された情報にもとづいて外部機器設定画面を作成して出力部に表示し、前記外部機器設定画面の操作によって所定の入力手段に接続された外部機器の設定を設定入力部に入力されることを特徴とする請求項５に記載の受信装置。
【請求項７】
外部機器を制御するための遠隔制御信号を受信するステップと、前記遠隔制御信号から識別情報を抽出するステップと、複数の入力手段からの出力信号を検知するステップと、前記複数の入力手段からの出力信号のいずれかを選択して表示手段に出力するステップと、前記選択された出力信号が入力した入力手段の情報と前記識別情報とを対応付けて記憶手段に記憶するステップを備える受信方法。
【発明の詳細な説明】
【０００１】
【発明の属する技術分野】
本発明は、チューナ、ビデオレコーダおよびＤＶＤプレーヤ等の外部機器からの信号を受信し、受信した信号を選択または切り替えて表示手段などへ出力するテレビジョン受信装置やモニタ装置等の受信装置およびその受信方法に関するものである。
【０００２】
【従来の技術】
一般に、テレビジョン受信装置やモニタ装置等の受信装置は、ビデオレコーダ、ＤＶＤプレーヤおよびＢＳ、ＣＳ用チューナなど複数の外部機器からの信号を入力するための外部入力端子を備え、これら複数の外部機器から入力された信号を、受信装置に内蔵された信号切替装置によって切り替えて画面に表示する。
【０００３】
これら外部機器を動作させて、その信号を受信装置に表示させるには、ユーザは外部機器用の遠隔制御装置（以下、リモコンと記す）により外部機器を操作する事に加え、受信装置用のリモコンを操作することによって受信装置の表示画面に所望の外部機器からの映像信号が表示されるように入力を切り替えるよう受信装置に指示する必要があり、この操作はユーザにとって大きな負担となっていた。
【０００４】
このようなユーザの負担を軽減するために、例えば、ユーザが外部機器用のリモコンによって再生等の所定のキー操作を行った場合に、受信装置側でも外部機器用のリモコンから発信された信号を受信して、映像信号の切り替え等あらかじめ登録された所定の動作を連動して行うことにより、受信装置用のリモコンによる切り替え操作を不要とする技術が提案されている（例えば、特許文献１参照）。
【０００５】
【特許文献１】
特開平５−２３６２９４号公報
【０００６】
【発明が解決しようとする課題】
しかしながら、このような従来の技術においては、外部機器用のリモコンにおける所定のキー操作とそのキー操作が行われた場合に受信装置側で行うべき操作とをあらかじめ対応付けて受信装置に登録しておく必要があった。この登録の際には、ユーザは外部機器用および受信装置用の２つのリモコンを用いる必要があり、これがユーザにとって非常に面倒であった。
【０００７】
【課題を解決するための手段】
本発明においては、上述したような課題に鑑み、外部装置用のリモコン１台で外部装置からの信号入カの切り替えを行うことのできる受信装置およびその受信方法を提供することを目的とする。
【０００８】
本発明の受信装置は、複数の外部機器からの出力信号が複数の入力手段から各々入力される受信装置であって、遠隔制御信号から識別情報を抽出する識別情報抽出部と、複数の入力手段からの出力信号を検知する信号検知部と、所定の情報を記憶する記憶部と、信号検知部で出力信号を検知された入力手段を示す情報と識別情報抽出部で抽出された識別情報とを対応付けて記憶部に書き込む書込部とを備えたことを特徴としている。
【０００９】
このような構成により、外部機器を制御するためのリモコン等の遠隔制御装置からの遠隔制御信号を受信した場合には、信号検知部で出力信号を検知された入力手段を示す情報と遠隔制御信号から抽出した識別情報とを対応付けて記憶部に記憶するので、以降の操作において、再度外部機器を制御するためのリモコン等の遠隔制御装置からの遠隔制御信号を受信した場合に、記憶部に記憶された情報を参酌することにより、遠隔制御信号に対応する入力端子を簡易に識別できる。
【００１０】
次に、本発明の受信装置は、複数の外部機器からの出力信号が複数の入力手段から各々入力される受信装置であって、複数の入力手段からの出力信号を検知する信号検知部と、複数の入力手段からの出力信号を選択して出力する入力切替部と、入力切替部から出力された出力信号を出力する出力部とを備え、入力切替部は、信号検知部が出力信号を検知した入力手段からの出力信号を選択して出力部に出力することを特徴としている。
【００１１】
このような構成により、外部機器を制御するためのリモコン等の遠隔制御装置からの遠隔制御信号を受信した場合には、信号検知部で出力信号を検知された入力手段からの信号を選択して出力部に出力するので、ユーザは受信装置のリモコン等を用いることなく、外部機器を制御するリモコン等のみを用いて所望の外部機器からの出力信号を視聴することができる。
【００１２】
次に、本発明の受信装置は、複数の外部機器からの出力信号が複数の入力手段から各々入力される受信装置であって、遠隔制御信号から識別情報を抽出する識別情報抽出部と、複数の入力手段からの出力信号を検知する信号検知部と、所定の情報を記憶する記憶部と、記憶部に情報を書き込む書込部と、複数の入力手段からの出力信号を選択して出力する入力切替部と、入力切替部から出力された出力信号を出力する出力部とを備え、入力切替部は信号検知部が出力信号を検知した入力手段からの出力信号を選択して出力部に出力し、書込部は信号検知部で出力信号を検知された入力手段を示す情報と識別情報抽出部で抽出された識別情報とを対応付けて記憶部に書き込む構成であってもよい。
【００１３】
このような構成により、外部機器を制御するためのリモコン等の遠隔制御装置からの遠隔制御信号を受信した場合には、信号検知部で出力信号を検知された入力手段を示す情報と遠隔制御信号から抽出した識別情報とを対応付けて記憶部に記憶するとともに、信号検知部で出力信号を検知された入力手段からの信号を選択して出力部に出力するので、以降の操作において、再度外部機器を制御するためのリモコン等の遠隔制御装置からの遠隔制御信号を受信した場合に、記憶部に記憶された情報を参酌することにより、遠隔制御信号に対応する入力端子を簡易に識別できるとともに、ユーザは受信装置のリモコン等を用いることなく、外部機器を制御するリモコン等のみを用いて所望の外部機器からの出力信号を視聴することができる。
【００１４】
また、識別情報が、遠隔制御信号のメーカコードまたは機器コードである構成であってもよい。このような構成によれば、入力手段に接続された外部機器のメーカ名または機器名を識別することが可能となり、同一メーカにおける異なる機種間においても識別が可能となる。
【００１５】
さらに、入力切替部が出力信号の選択を行う場合に、選択された入力手段の確認画面を作成し、確認画面を出力部に表示させるＧＵＩ作成部を備えた構成であってもよい。このような構成によれば、リモコン等の遠隔制御装置の操作対象となる外部機器とは異なる他の外部機器からも同時に出力信号が出力されている場合等に、操作対象となる外部機器が接続された入力手段と異なる他の入力手段に入力が切り替わる等の誤動作の発生を防ぐことができる。
【００１６】
また、複数の入力手段に接続された外部機器の設定が入力される設定入力部を備えた構成であってもよい。このような構成によれば、あらかじめ入力手段に接続された外部機器の識別情報等の情報を入力して記憶部に記憶させることができるので、以降の操作において、再度外部機器を制御するためのリモコン等の遠隔制御装置からの遠隔制御信号を受信した場合に、記憶部に記憶された情報を参酌することにより、遠隔制御信号に対応する入力端子を簡易に識別して、出力信号の切り替え等を行うことができる。
【００１７】
また、記憶部は、複数の入力手段に接続可能な外部機器の識別情報を含む情報を格納した識別情報テーブルを有し、ＧＵＩ作成部は、識別情報テーブルに格納された情報にもとづいて外部機器設定画面を作成して出力部に表示し、外部機器設定画面の操作によって所定の入力手段に接続された外部機器の設定が設定入力部に入力される構成であってもよい。このような構成によれば、ユーザは外部機器設定画面の表示にもとづいて各入力端子に接続される外部機器の設定を簡易に行うことができる。
【００１８】
さらに、外部機器の識別情報を含む情報が、外部機器のメーカ名または機器名を含む情報であり、外部機器設定画面において所定の入力手段に対応した外部機器を外部機器のメーカ名または機器名から選択することにより、所定の入力手段に接続された外部機器の設定が設定入力部に入力される構成であってもよい。このような構成によれば、ユーザは外部機器設定画面に表示されたメーカ名や機器名を参照して各入力手段に接続された外部機器を選択することができるので、ユーザが外部機器の選択を行いやすい構成が実現できる。
【００１９】
また、ＧＵＩ作成部は、所定の入力手段に対応する外部機器の設定入力を促す画面を作成して出力部に表示し、所定の入力手段に対応する外部機器の遠隔制御信号を受信することによって所定の入力手段に接続された外部機器の設定が設定入力部に入力される構成であってもよい。このような構成によれば、外部機器の設定入力を促す画面が表示された場合に、ユーザは所定の入力手段に接続された外部機器に対応するリモコン等の遠隔制御装置を操作することによって、簡易に入力手段に接続された外部機器の設定を行うことができる。
【００２０】
また、所定の入力手段に外部機器が接続された際に、所定の入力手段に接続された外部機器の機器情報が所定の入力手段から記憶部に入力される構成であってもよい。このような構成によれば、例えば、入力手段として、ＩＥＥＥ１３９４バス等のバスを用いた場合に、ユーザが各入力端子に接続された外部機器を入力したり、信号検知部を用いて信号検知を行う必要がない構成が実現できる。
【００２１】
また、本発明の受信方法は、外部機器を制御するための遠隔制御信号を受信するステップと、前記遠隔制御信号から識別情報を抽出するステップと、複数の入力手段からの出力信号を検知するステップと、前記複数の入力手段からの出力信号のいずれかを選択して表示手段に出力するステップと、前記選択された出力信号が入力した入力手段の情報と前記識別情報とを対応付けて記憶手段に記憶するステップを備え、この受信方法により、ユーザは外部機器用のリモコンをもちいて外部機器の動作命令を出力するだけで、外部機器が接続された受信装置の入力手段と外部機器のリモコンの識別信号とを対応付けて受信装置に認識（記憶）させることができる。
【００２２】
【発明の実施の形態】
本発明の受信装置、受信方法について具体的な例を図面を用いて以下に説明する。
【００２３】
（実施の形態１）
以下、本発明の第１の実施の形態について図面を用いて説明する。本発明の第１の実施の形態においては、受信装置の例としてテレビジョン受信装置を用いてその構成およびその受信方法について説明する。
【００２４】
図１は、本発明の第１の実施の形態におけるテレビジョン受信装置１の構成を示すブロック図である。　図１において、アンテナ６１は、放送局から送信された信号を受信し、信号処理部６２は、アンテナ６１からの信号を、映像または音声ごとに信号処理し出力する。
【００２５】
本発明の第１の実施の形態におけるテレビジョン受信装置１は、入力手段である第１の入力端子２、第２の入力端子３および第３の入力端子４を備え、それぞれの入力端子には、第１の外部機器５、第２の外部機器６および第３の外部機器７が接続され、これら３つの外部機器から出力される映像信号または音声信号（以下、出力信号と記す）をテレビジョン受信装置１が入力し、いずれかを選択して表示部に、または他の機器に出力する。第１の入力端子２、第２の出力端子３および第３の入力端子４に接続された第１の外部機器５、第２の外部機器６および第３の外部機器７は各々のリモコンを備え、各々のリモコンからの遠隔制御信号に応じて動作がなされる。
【００２６】
本実施の形態のリモコン６０は第１の外部機器５のみを操作可能なリモコンであり、リモコン６０からの遠隔制御信号９６では第２の外部機器６、第３の外部機器７を操作することはできない。また、第１の外部機器５をリモコン６０で操作する際には、リモコン６０からの遠隔制御信号９６は第１の外部機器５に入力するとともに、テレビジョン受信装置１にも受信されるものである。
【００２７】
なお、第１の入力端子２、第２の入力端子３および第３の入力端子４としては、アナログの出力信号を入力できるピンプラグやＳ端子等の公知の入力端子を用いることができる。
【００２８】
本発明の第１の実施の形態におけるテレビジョン受信装置１は、リモコン６０からの変調された赤外線や電波等の遠隔制御信号９６を受信して復調することにより変調されていない遠隔制御信号２０を出力する受信部８、リモコン６０で操作対象となる外部機器を識別するための後述する識別情報等の情報を記憶する記憶部９、第１の入力端子２、第２の入力端子３および第３の入力端子４からの出力信号の有無を検知して、出力信号の検知された入力端子からの出力信号を出力する信号検知切替部９１、信号検知切替部９１から出力された出力信号を、例えば表示手段６７である液晶、有機ＥＬまたはＣＲＴ等を用いたディスプレイ装置等、または外部機器へ出力するための出力端子６６に出力する出力部１６、ならびに、受信部８から出力された遠隔制御信号２０から識別情報を抽出して記憶部９に記憶された識別情報と照合し、対応する外部機器からの入力に信号を切り替えるように信号検知切替部９１を制御する演算手段からなる演算部１２を備えている。
【００２９】
次に、信号検知切替部９１および演算部１２の構成をさらに詳細に説明する。図２は、本発明の第１の実施の形態におけるテレビジョン受信装置のより具体的な構成を示すブロック図である。
【００３０】
信号検知切替部９１は、入力端子からの信号をその同期信号を検出することにより検知する信号検知部１９および信号を切りかえて出力する切替手段１３を有している。切替手段１３は、信号検知部１９からの信号と信号処理部６２からの信号を入力し、そのなかの信号を演算部１２からの信号によって選択し、切り換えて出力する、例えばＩＣ化されたアナログスイッチ回路等から構成されるものである。演算部１２からの入力切り換え信号の送信はＩＩＣ（Ｉｎｔｅｒ　Ｉｎｔｅｇｒａｔｅｄ　Ｃｉｒｃｕｉｔ）バス等で行われる構成であってもよい。
【００３１】
また、切替手段１３は、信号検知部１９からの信号および信号処理部６２からの信号の中から選択するものに限らず、例えば入力端子から入力された信号のいずれかを選択する構成、すなわち信号検知部１９からの信号のいずれかを選択して出力するものであってもよい。
【００３２】
信号検知部１９は、第１の入力端子２、第２の入力端子３および第３の入力端子４からの出力信号をそれぞれ検知するように３つの信号検知部を有する構成であってもよいし、１つの信号検知部を用いて、３つの入力端子からの出力信号を切り替えることにより順次信号検知する構成であってもよい。
【００３３】
次に、本発明の第１の実施の形態におけるテレビジョン受信装置１の演算部１２の構成についてさらに詳細に説明する。図２に示したように、演算部１２は、受信部８から出力された遠隔制御信号２０から識別情報２６を抽出する識別情報抽出部１０、ならびに、識別情報抽出部１０で抽出された識別情報２６を記憶部９の割当機器テーブル１７および識別情報テーブル１８に記憶された識別情報と比較照合して一致するか否かを判定する判定部１１を有する。
【００３４】
さらに、演算部１２は、制御部１５および制御部１５からの指示にもとづいて記憶部９に所定の情報を書きこむ書込部１４を有する。制御部１５は、判定部１１において識別情報抽出部１０から出力された識別情報２６が記憶部９に記憶された識別情報と一致したと判定された場合に、信号検知部１９で信号が検知された入力端子からの出力信号が出力部１６に出力されるように信号切替を行うように、切替手段１３に指示する。
【００３５】
なお、識別情報抽出部１０、判定部１１、書込部１４および制御部１５の機能は演算部１２に読みこまれて実行されるソフトウェアで実現されていてもよいし、各々の機能がハードウェアによって実現されていてもよい。
【００３６】
次に、本発明の第１の実施の形態のテレビジョン受信装置１における識別情報について説明する。図３は、本発明の第１の実施の形態のテレビジョン受信装置１における識別情報について説明するための図である。
【００３７】
本発明の第１の実施の形態におけるリモコン６０から発信された遠隔制御信号９６は、受信部８で復調されて図３に示したような遠隔制御信号２０に変換されるものとする。遠隔制御信号２０は、信号の先頭を表すマーカであるリーダ部２１、メーカを識別するためのメーカコード２２、製品を識別するための機器コード２３、ＯＮ／ＯＦＦ等の機能用のデータコード２４および信号の終了を示すマーカであるトレーラ部２５を有する。このような遠隔制御信号２０において、本発明の実施の形態では、メーカコード２２および機器コード２３を識別情報２６とする。
【００３８】
リモコン６０によって送信されてきた遠隔制御信号９６を受信部８が受信、復調し、そして出力した遠隔制御信号２０からこの識別情報２６の部分を抜き出すことによって、そのリモコン６０によって制御対象となる機器のメーカ名や機器名（例えば、テレビ、ビデオ、ＣＡＴＶ等）を判別することができる。
【００３９】
次に、本発明の第１の実施の形態におけるテレビジョン受信装置１の記憶部９および記憶部９に記憶された情報について詳細に説明する。本発明の実施の形態におけるテレビジョン受信装置１の記憶部９は、例えばＥＥＰＲＯＭ、ＲＡＭ、ＨＤＤ等の公知の記憶媒体である。記憶部９には、テレビジョン受信装置１に接続可能な外部機器のメーカ名や機器名等の識別情報２６が記憶された識別情報テーブル１８、および、第１の入力端子２、第２の入力端子３および第３の入力端子４とそれぞれの入力端子に接続された外部機器の識別情報２６とが対応付けられて記憶された割当機器テーブル１７が記憶されている。
【００４０】
図４に識別情報テーブル１８の一例を示す。図４に示したように、識別情報テーブル１８にはメーカ名別のメーカコード２２（ここでは一例として１６進数で示す）またメーカ毎に機器名に対応する機器コード２３（ここでは一例として２進数で示す）が格納されている。
【００４１】
また記憶部９には、テレビジョン受信装置１自身の識別情報（以下、自己識別情報と記す）も記憶されている。例えば本実施の形態では、テレビジョン受信装置１の自己識別情報３３は、メーカコード２２が「２００２」、機器コード２３が「０００００」で構成され、この自己識別情報３３が記憶部９に記憶されているので、この自己識別情報３３を確認することで、テレビジョン受信装置１がＡ社製のテレビジョン受信装置であることが認識できる。
【００４２】
また、図５（ａ）に本発明の第１の実施の形態におけるテレビジョン受信装置１の割当機器テーブル１７の構成を示す。図５（ａ）に示したように、割当機器テーブル１７には第１の入力端子２、第２の入力端子３および第３の入力端子４のそれぞれに接続されている外部機器について、それぞれ対応する外部機器のメーカコード２２、機器コード２３、メーカ名または機器名が格納されている。図５（ａ）において、例えば、第１の入力端子２については、メーカコード２２として「２００２」、機器コード２３として「０００１１」、メーカ名は「Ａ社」、機器名は「ビデオレコーダ」が各々格納されている。また、第２の入力端子３に対応するメーカコード２２および機器コード２３は共に「０」であり、これは未だ第２の入力端子３には外部機器が対応付けられていないことを示している。なお、本実施の形態ではメーカコード２２、機器コード２３、メーカ名、および機器名の４つの情報が格納されている例を示したが、必ずしも４つの情報が格納されている必要はない。また、これらの情報に加えて、これら以外の情報が格納されているテーブルでもよい。
【００４３】
次に、本発明の第１の実施の形態におけるテレビジョン受信装置１の受信方法について説明する。図６は本発明の第１の実施の形態におけるテレビジョン受信装置１の動作ステップを示すフローチャートである。第１の外部機器５としてＡ社のビデオレコーダが接続されており、例えばユーザ（視聴者）が第１の外部機器５用のリモコン６０で第１の外部機器５に対して「再生」の指示を送った場合を例として説明する。さらに、記憶部９の割当機器テーブル１７は前述した図５（ａ）に示すように、あらかじめ第１の入力端子２にＡ社の（メーカコード２２として「２００２」）、ビデオレコーダ（機器コード２３として「０００１１」）が割当済みであるとする。
【００４４】
図６において、テレビジョン受信装置１の受信部８はリモコン６０からの遠隔制御信号９６を受信したら、その信号を復調して遠隔制御信号２０を識別情報抽出部１０へ出力する（Ｓ１）。
【００４５】
識別情報抽出部１０は、受信部８から出力された遠隔制御信号２０から識別情報２６を抽出して判定部１０へ送る（Ｓ２）とともに、制御部１５へ遠隔制御信号２０を受信した旨の信号を送る。本実施の形態ではリモコン６０はＡ社のビデオレコーダに対応しているので、識別情報抽出部１０は遠隔制御信号２０からメーカコード２２は「２００２」、機器コード２３は「０００１１」という識別情報２６を抽出する。
【００４６】
判定部１１は識別情報抽出部１０から出力された識別情報２６と、まず記憶部９の自己識別情報３３とを比較する（Ｓ３）。本実施の形態例ではテレビジョン受信装置はＡ社製のテレビジョン受信装置であるから、その自己識別情報３３はメーカコード２２として「２００２」、機器コード２３として「０００００」である。したがって判定部１１は、リモコン６０からの信号は自己識別情報３３とは異なることを判別する。
【００４７】
もし、テレビジョン受信装置１を制御するためのリモコンからの信号を受信部８が受信した場合、識別情報２６と自己識別情報３３とが一致するため、判定部１１は両者の情報が一致すると判定し、その旨を伝える信号を制御部１５に送信する。制御部１５はその信号を受けて、切替手段１３に信号処理部６２からの信号を選択し、出力部１６に出力するように制御信号を出す（Ｓ４）。
【００４８】
本実施の形態においてリモコン６０からの識別情報２６と自己識別情報３３とが異なることを判別した判定部１１は、図５（ａ）に示した割当機器テーブル１７に格納された識別情報と、識別情報抽出部１０から出力された識別情報２６とを比較照合して、識別情報抽出部１０から出力された識別情報２６が既に第１の入力端子２、第２の入力端子３または第３の入力端子４のいずれかに割当済みか否かを判定する（Ｓ５）。第１の入力端子２に対応付けられたメーカコード２２「２００２」および機器コード２３「０００１１」はＡ社のビデオレコーダを示す識別情報２６であるので、リモコン６０から発せられた遠隔制御信号９６は第１の入力端子２に接続された第１の外部機器５に対応するものと判定される。
【００４９】
判定部１１が識別情報抽出部１０から出力された識別情報２６は既に第１の入力端子２、第２の入力端子３または第３の入力端子４のいずれかに割当済みであると判定した場合には、判定部１１はその入力端子を示す信号（例えば第１の入力端子２であれば「１」、第２の入力端子３であれば「２」等の信号）を制御部１５へ送る。制御部１５は判定部１１から出力された信号にもとづいて、切替手段１３を切替制御する（Ｓ９）。
【００５０】
これにより、リモコン６０から発信された遠隔制御信号９６を受信することにより、入力端子に接続された外部機器のうち、リモコン６０に対応する外部機器、すなわち本実施の形態においては、Ａ社のビデオレコーダの接続された第１の入力端子２からの出力信号を、切替手段１３を切り替えて、その画像や音声を出力部１６を通して出力端子６６または表示手段６７に表示または再生させることができる（なお、音声の場合には出力部１６にスピーカを接続した構成とすることができることはいうまでもない）。
【００５１】
このように、割当機器テーブル１７にリモコンのメーカコード、および／または、機器コードなどを対応する外部機器の入力端子と対応づけて記憶させることで、これ以降にリモコンからの遠隔制御信号を受信した場合、割当機器テーブル１７にもとづいて切替手段１３を切りかえることで、接続された外部機器からの信号を、簡単に出力することが可能となる。
【００５２】
次に、第２の外部機器６を操作するリモコン６８によって第２の外部機器６を制御しようとする場合であって、第２の外部機器６は割当機器テーブル１７に割り当てられていない場合の動作について説明する。第２の外部機器６としては、Ｂ社製のＤＶＤプレーヤが接続されているものとする。図６におけるステップＳ１〜Ｓ４までのステップは同じであるが、ステップＳ５において、判定部１１は識別情報抽出部１０から出力された識別情報２６が未だ第１の入力端子２、第２の入力端子３または第３の入力端子４のいずれにも割当されていないと、割当機器テーブル１７から判定する。
【００５３】
次に判定部１１は、制御部１５に、識別信号２６がまだ割り当てられていない旨の信号（例えば「０」等）を送る。さらに判定部１１は識別情報テーブル１８に格納された識別情報と識別情報抽出部１０から出力された識別情報２６とを比較照合して、識別情報２６に対応する外部機器のメーカ名および機器名の情報（例えば「Ｂ社」「ＤＶＤプレーヤ」等）、または識別情報２６そのものを制御部１５へ送る。
【００５４】
制御部１５は、信号検知部１９に、第１の入力端子２、第２の入力端子３または第３の入力端子４からの出力信号が検知されるまで所定時間待機するように制御信号を送信する（Ｓ６）。信号検知部１９は、第１の入力端子２、第２の入力端子３または第３の入力端子４のいずれかからの出力信号を検知した場合に、その出力信号が検知された入力端子を識別情報２６と対応する入力端子であるとみなす。
【００５５】
例えば、ユーザが第２の外部機器６に「再生」を指示する遠隔制御信号をリモコン６８から送信すると、その遠隔制御信号は第２の外部機器６とテレビジョン受信装置１によって受信される。第２の外部機器５であるＢ社製のＤＶＤプレーヤは、リモコン６８からの遠隔制御信号を受信すると、その制御動作、すなわち「再生」動作を実行し、映像信号をテレビジョン受信装置１の第２の入力端子３に出力する。
【００５６】
一方、リモコン６８からの遠隔制御信号を受信部８で受信したテレビジョン受信装置１は、上述した図６のフローチャートのＳ１〜Ｓ６の動作により信号検知部１９に入力信号を検知するための制御信号を送信し、その結果、信号検知部１９は待機状態となる。
【００５７】
このような状態で信号検知部１９が第２の入力端子３からの映像信号を最初に検知した場合に、信号検知部１９からの信号により制御部１５は、識別情報抽出部１０で抽出された識別情報２６が信号検知部１９で最初に出力が検知された第２の入力端子３に対応するとして、第２の入力端子３を示す信号「２」と、識別情報２６に対応する外部機器のメーカ名や機器名、または識別情報２６そのものとを割当機器テーブル１７に書込むように書込部１４に指示する（Ｓ８）。なお、ステップＳ８において、制御部１５は、書込部１４に対して、記憶部９の割当機器テーブル１７における第２の入力端子３に割り当てられたアドレス領域に識別情報２６に対応する外部機器のメーカ名や機器名、または識別情報２６そのものを書きこむように指示する構成であってもよい。
【００５８】
書込部１４は、記憶部９の割当機器テーブル１７の第２の入力端子３に対応して、メーカコード２２として「２００１」、機器コード２３として「１０１１１」、メーカ名として「Ｂ社」、機器名として「ＤＶＤプレーヤ」を書込み、記憶させる（図５（ｂ））。
【００５９】
続いて、制御部１５は信号検知部１９で最初に出力が検知された入力端子からの出力、前述の例においては第２の入力端子３からの出力信号を出力部１６に出力するように切替手段１３に切替を指示する（Ｓ９）。
【００６０】
また、これ以降に第２の外部機器６、すなわちＢ社製のＤＶＤプレーヤを制御するためのリモコン６８からの遠隔制御信号がテレビジョン受信装置１に入力されたときは、制御部１５は、第２の入力端子３からの信号を選択して出力するように切替手段１３を制御する。
【００６１】
以上のように本発明の第１の実施の形態のテレビジョン受像機または受信方法によれば、入力端子に接続された外部機器のリモコンからの遠隔制御信号を受信すると、そのリモコンに対応する外部機器からの出力信号を選択し、出力するように切替手段を制御することができるので、テレビジョン受信装置１用のリモコンに持ち替えることなく、接続された外部機器のリモコンだけで、テレビジョン受信装置１の入力端子の入出力の制御を実行することができる。
【００６２】
また、テレビジョン受信装置が接続されている外部機器を認識していない場合は、このテレビジョン受信装置はその外部機器用のリモコンからの信号とこの外部機器から出力された出力信号により、この外部機器が接続された入力端子を特定し、この入力端子とリモコンからの信号とを対応づけて記憶するので、ユーザは難しい作業を要せず、単に外部機器のリモコンを制御することにより、容易にテレビジョン受信装置に接続されている外部機器を記憶させることができる。
【００６３】
なお、上述の説明では、割当機器テーブル１７において第２の入力端子３に外部機器が対応付けされておらず、第１の入力端子２および第３の入力端子４に外部機器がすでに対応付けされている例を示したが、本発明の受信装置はこれに限定されず、全ての入力端子に対して外部機器が対応付けされていない場合においても、接続された外部機器に対応するリモコンからの遠隔制御信号を判別し、接続された外部機器から出力された出力信号を検知することによって、接続された外部機器と入力端子とを対応付けて割当機器テーブル１７に書き込み、以降、接続された外部機器に対応するリモコンからの遠隔制御信号を受信した場合、外部機器の接続された入力端子からの信号に切り替えることができるのはいうまでもない。
【００６４】
また受信方法において、動作ステップＳ８とステップＳ９との間において、制御部１５が図示しないＧＵＩ作成部を制御して、割当機器テーブル１７に格納されたメーカ名または機器名を参照して、図７に示すような確認画面５０（外部入力端子２に「Ｂ社製のＤＶＤプレーヤ」が割り当てられました。入力を切り替えてよろしいですか）等を表示してユーザに確認を促す構成であってもよい。
【００６５】
このような構成とすることにより、リモコンの操作対象となる外部機器とは異なる他の外部機器からも同時に出力信号が出力されている場合等に、操作対象となる外部機器が接続された入力端子と異なる他の入力端子に入力が切り替わる等の誤動作の発生を防ぐことができる。
【００６６】
なお、本発明の実施の形態におけるテレビジョン受信装置においては、前述の確認画面５０を表示せず、単に複数の入力端子からの信号の切替を行うには、識別情報テーブル１８を含まない構成であってもよい。
【００６７】
（実施の形態２）
本発明の受信装置または受信方法においては、記憶部の識別情報テーブルに受信装置に接続可能な外部機器の識別情報が記憶されているので、ユーザが前もって入力端子に接続された外部機器の設定を簡易に行うことができる。
【００６８】
この構成について、本発明の第２の実施の形態における受信装置として説明する。本発明の第２の実施の形態においても、受信装置の例として、テレビジョン受信装置の説明を行う。図８は本発明の第２の実施の形態におけるテレビジョン受信装置３０の構成を示すブロック図である。
【００６９】
図８に示したように、本発明の第２の実施の形態におけるテレビジョン受信装置３０では、第１の実施の形態におけるテレビジョン受信装置１と同様の機能を有する構成要件には同じ符号を付し、その説明を省略する。
【００７０】
本発明の第２の実施の形態におけるテレビジョン受信装置３０は、第１の実施の形態におけるテレビジョン受信装置１と比較して、演算部７２に設定入力部３１が新たに設けられたことと、この設定入力部３１からの信号に応じたＧＵＩを出力するＧＵＩ作成部７４と、ＧＵＩ作成部７４の出力を表示手段６７へ出力するための重畳表示部６５を設けたこと、また、本実施の形態の例では構成中に信号検知部１９を含まない点が異なる。
【００７１】
設定入力部３１は、入力端子に接続された外部機器の設定登録をユーザが実行するためのものであり、設定入力部３１に接続されたＧＵＩ作成部７４はユーザが外部機器の設定登録するために表示手段６７に表示するＧＵＩを出力するものであり、ＧＵＩ作成部７４からの出力信号を切替手段１３からの出力信号に重畳させ、または切り替えて出力する機能を重畳表示部６５は備えている。
【００７２】
また、第１の入力端子２、第２の入力端子３および第３の入力端子４には、それぞれＡ社製のＣＳチューナ、Ａ社製のビデオレコーダおよびＢ社製のＤＶＤプレーヤが接続されているものとする。
【００７３】
本実施の形態のテレビジョン受信装置３０では、設定入力部３１により、ユーザは、テレビジョン受信装置３０を操作するリモコン９０を用いてあらかじめ各入力端子に接続されている外部機器の設定を入力する事ができる。なお、ここで「設定を入力する」とは、各入力端子に接続されている外部機器の識別情報２６を、接続された各入力端子に対応させて割当機器テーブル８７に書き込むことである。
【００７４】
本実施の形態のテレビジョン受信装置３０においては、ＧＵＩ作成部７４によって図９に示したようなユーザに設定を行わせるための外部機器設定画面５１が作成されて、重畳表示部６５を通して出力部１６に送られ、そして表示手段６７に表示される。そしてユーザによる各入力端子に対応する外部機器の設定がテレビジョン受信装置３０を操作するリモコン９０を用いて行われ、受信部７８で受信された遠隔制御信号を設定入力部３１が該当する入力端子の番号や識別情報２６等の設定情報に変換し、設定情報が制御部７５へ送られる。
【００７５】
制御部７５は、書込部１４にこの設定情報を割当機器テーブル８７に書き込むように指示する。書込部１４によって書きこまれた記憶部８９の割当機器テーブル８７の内容を図１０に示す。この場合、テレビジョン受信装置３０においては、接続可能な外部機器の識別情報が識別情報テーブル１８に記憶されているので、この記憶された識別情報を利用して、接続可能なメーカ名や機種名をすべて表示して、各入力端子に接続されている外部機器をプルダウンメニュー等でユーザに選択させることも出来る。
【００７６】
また、別の方法として、図１１（ａ）に示したような画面５２（「外部入力端子１に接続された機器のリモコンを操作してください」）を表示させて、ユーザに対応する外部機器、すなわち画面５２の例においては第１の外部機器５に対応するリモコン８８（本実施の形態においては、Ａ社製のＣＳチューナに対応するリモコン）を操作させ、制御部７５は受信部７８から出力されたリモコン８８の遠隔制御信号８０から識別情報（本実施の形態の例においては、メーカコード２２として「２００２」、機器コード２３として「１０１１１」）を識別情報抽出部１０に抽出させ、判定部１１は、識別情報テーブル１８に記憶された識別情報と遠隔制御信号８０から抽出された識別信号とを照合して、ユーザが操作したい外部機器のメーカ名および機器名（本実施の形態の例においては、メーカ名「Ａ社」、機器名「ＣＳチューナ」）を判別して、図１１（ｂ）に示したような確認のための画面５３（「外部入力端子１にＡ社製のＣＳチューナが接続されました」）を表示させ、判別された識別情報（メーカコード２２、機器コード２３、メーカ名または機器名）を書込部１４によって割当機器テーブル８７に書きこませることも可能である。
【００７７】
またこのように本実施の形態の受信方法においては、割当機器テーブル８７に入力端子に対応する外部機器の識別情報を記憶する動作をさらに行えば、図６に示したステップＳ１〜ステップＳ５を実行することにより、操作されたリモコンの種類に応じて、対応する外部機器の接続された入力端子からの入力に切り替えを行うことができる。
【００７８】
以上説明したように、本発明の第２の実施の形態におけるテレビジョン受信装置とその受信方法によれば、あらかじめユーザによって入力端子に接続された外部機器の設定が行われることにより、外部接続された外部機器のいずれかがリモコンにより制御された場合、テレビジョン受信装置はこのリモコン信号を検知し、対応すると判定された外部機器が接続されている入力端子に切り替えてその出力信号を表示等することが可能である。
【００７９】
（実施の形態３）
次に、本発明の第３の実施の形態における受信装置とその受信方法について説明する。本発明の第３の実施の形態においても、受信装置の例として、テレビジョン受信装置の説明を行う。図１２は本発明の第３の実施の形態におけるテレビジョン受信装置４０の構成を示すブロック図である。
【００８０】
図１２に示したように、本発明の第３の実施の形態におけるテレビジョン受信装置４０では、第１の実施の形態におけるテレビジョン受信装置１または第２の実施の形態におけるテレビジョン受信装置３０と同様の機能を有する構成要件には同じ符号を付し、その説明を省略する。
【００８１】
本発明の第３の実施の形態におけるテレビジョン受信装置４０は、第２の実施の形態におけるテレビジョン受信装置３０と比較して、設定入力部３１をその構成要素として含まないこと、制御部９５とＧＵＩ作成部９４とが接続されていること、および、第１の入力端子４２、第２の入力端子４３および第３の入力端子４４がＩＥＥＥ１３９４バスによる入力が可能な入力端子である点が異なる。
【００８２】
このように、入力端子としてＩＥＥＥ１３９４バスやＵＳＢ等のバスを用いれば、自らのメーカ名や機器名を外部機器４５〜外部機器４７から制御部９５に対して入力する（図１２における破線で示した信号）ことが可能である。このように入力端子からのメーカ名や機器名を制御部９５へ送る構成とすれば、制御部９５は、外部機器４５〜４７が入力端子に差し込まれた時点でそれぞれの入力端子に対応する外部機器のメーカ名や機器名を割り当てて、記憶部９３の割当機器テーブル９７に設定情報を書きこむよう書込部１４に指示することができる。なお、外部機器のメーカ名や機器名に対応する識別情報２６を割当機器テーブル９７に書きこむ際には、記憶部９３の識別情報テーブル１８に記憶された情報が参酌される。
【００８３】
このような本発明の第３の実施の形態におけるテレビジョン受信装置４０の構成によれば、図８に示した本発明の第２の実施の形態におけるテレビジョン受信装置３０の動作と比較して、外部機器設定画面５１や画面５２を表示させてユーザによる設定を行う必要がなく各入力端子に対応する外部機器を割り当てることができる。
【００８４】
以降、外部機器に対応するリモコン９９が操作された場合には、図６におけるステップＳ１からステップＳ５に説明した動作ステップを行うことにより、このリモコン９９の遠隔制御信号を検知し、対応すると判定された外部機器が接続されている入力端子からの信号に切り替えてその出力信号を表示等することが可能であることは第２の実施の形態で説明したとおりである。また、切替を行う際に図７に示したような確認画面５０を表示してもよいことは（実施の形態１）または（実施の形態２）と同様である。
【００８５】
なお、本発明の実施の形態においては、説明を簡単にするために、受信装置に入力される入力端子の数は３つであるとして説明を行ったが、本発明の受信装置は入力端子の数を限定するものではないことはいうまでもない。
【００８６】
また、本発明の実施の形態においては、識別情報２６についてメーカコード２２、機器コード２３、メーカ名または機器名を有する構成を用いて説明したが、本発明の受信装置における識別情報はこれに限定されず、外部機器のメーカ名および機器名を識別可能なあらゆる信号を含むことはいうまでもない。例えば、メーカコードや機器コードのパリティ部を含む構成であってもよいことはいうまでもない。
【００８７】
さらに、本発明の実施の形態においては、記憶部と演算部とが直接接続されている構成を示したが、本発明の受信装置はこれに限定されず、例えば受信装置内部に演算部が搭載され、記憶部はネットワーク等の接続を介して他の機器に備え付けられている構成であってもよいことはいうまでもない。さらに、識別情報テーブル１８に格納された識別情報がネットワーク等を介して最新の情報に更新される構成であれば、新しい外部機器が発売等された場合にも対応可能となり有効であることはいうまでもない。
【００８８】
さらに、本発明の実施の形態においては、受信装置の例としてテレビジョン受信装置を用いて説明を行ったが、本発明の受信装置はこれに限定されず、モニタ装置、ビデオレコーダおよびＤＶＤレコーダ等の、複数の外部機器から入力される映像信号や音声信号を切り替える機能を有する各種機器にも適用可能であることはいうまでもない。
【００８９】
【発明の効果】
以上のように、本発明の受信装置または受信方法によれば、入力端子に接続された外部機器のリモコンからの遠隔制御信号を受信すると、そのリモコンに対応する外部機器からの出力信号を選択し表示手段などに出力するように切替手段を制御できるので、受信装置用のリモコンに持ち替えて入力手段を切り換えることなく、接続された外部機器のリモコンだけで受信装置の入力端子の入力の制御を実行することができる。
【００９０】
また、受信装置が接続されている外部機器を認識していない場合は、この受信装置はその外部機器用のリモコンからの信号とこの外部機器から出力された出力信号により、この外部機器が接続された入力端子を特定し、この入力端子とリモコンからの信号とを対応づけて記憶するので、ユーザは難しい作業を要せず、単に外部機器のリモコンを制御することにより、容易にテレビジョン受信装置に接続されている外部機器を記憶させることができる。
【図面の簡単な説明】
【図１】本発明の第１の実施の形態における受信装置の構成を示す図
【図２】同受信装置の構成の一例を詳細に示すブロック図
【図３】本発明の実施の形態における遠隔制御信号の構成を示す図
【図４】同受信装置の識別情報テーブルの一例を示す図
【図５】同受信装置の割当機器テーブルの一例を示す図
【図６】同受信装置の動作ステップのフローチャ一ト
【図７】本実施の形態におけるオンスクリーン表示の一例を示す図
【図８】本発明の第２の実施の形態における受信装置の構成の一例を示す図
【図９】同受信装置の外部機器設定画面の一例を示す図
【図１０】同受信装置の割当機器テーブルの一例を示す図
【図１１】同受信装置のオンスクリーン表示の一例を示す図
【図１２】本発明の第３の実施の形態における受信装置の構成の一例を示す図
【符号の説明】
１、３０、４０　テレビジョン受信機
２、４２　第１の入力端子
３、４３　第２の入力端子
４、４４　第３の入力端子
５、４５　第１の外部機器
６、４６　第２の外部機器
７、４７　第３の外部機器
８，７８　受信部
９，８９，９３　記憶部
１０　識別情報抽出部
１１　判定部
１２、７２、９２　演算部
１３　切替手段
１４　書込部
１５、７５、９５　制御部
１６　出力部
１７、８７、９７　割当機器テーブル
１８　識別情報テーブル
１９　信号検知部
６０、６８、８８、９０、９９　リモコン
【図１】
2004048706.tif 000003
【図２】
2004048706.tif 000004
【図３】
2004048706.tif 000005
【図４】
2004048706.tif 000006
【図５】
2004048706.tif 000007
【図６】
2004048706.tif 000008
【図７】
2004048706.tif 000009
【図８】
2004048706.tif 000010
【図９】
2004048706.tif 000011
【図１０】
2004048706.tif 000012
【図１１】
2004048706.tif 000013
【図１２】
2004048706.tif 000014